(57)【要約】  本発明は、医療用途のために患者の尿生成に関するデータを測定するための装置に関する。装置は、患者の尿を収集するための収集装置（１）と、収集装置への接続のためのプロセッサ（１４）とを備える。プロセッサは、データを測定する手段（１２）と、測定データを記憶するメモリ手段（１３）とを備える。尿収集装置（１）は、便器内に配置されるために構成される。本発明によれば、収集装置は、使い捨て物品として意図され、それによって、患者の衛生が保証される。
2008503752.tif 000002
【特許請求の範囲】
【請求項１】
医療用途のために患者の尿生成に関するデータを測定する装置であって、
患者の尿を収集するための収集装置と、
データを測定するための手段と、
該測定されたデータを記憶するためのメモリ手段を備えるプロセッサとを含み、
前記尿収集装置は、便器の上に取り付けるために配置されることを特徴とする、
装置。
【請求項２】
前記尿収集装置は、漏斗形状であり、前記便座内に取り付けられるための手段を備える、請求項１に記載の装置。
【請求項３】
前記尿収集装置は、少なくとも部分的に二重壁形態を採り、液体ロックを備え、前記測定手段は、尿生成の結果としての空気排除量を測定するよう配置される、請求項１又は２に記載の装置。
【請求項４】
前記測定手段は、前記プロセッサ内に組み込まれる、上記請求項のうちいずれか１項に記載の装置。
【請求項５】
前記測定手段は、患者からの尿流量に関するデータを測定するための流量センサを含む、上記請求項のうちいずれか１項に記載の装置。
【請求項６】
前記プロセッサは、前記収集装置上に解放可能に取り付けられ得る、請求項４又は５に記載の装置。
【請求項７】
前記収集装置は、前記プロセッサを少なくとも部分的に収容するためのカバーを備える、請求項６に記載の装置。
【請求項８】
前記測定データを表示するために前記プロセッサに接続するためのインターフェースをさらに含む、上記請求項のうちいずれか１項に記載の装置。
【請求項９】
前記プロセッサは、前記インターフェースへの前記測定データの無線送信のための送信器を備え、前記インターフェースは、前記測定データを受信するための受信器を備える、請求項８に記載の装置。
【請求項１０】
前記インターフェースは、ゲームボーイ（Ｒ）のようなゲームコンピュータを含む、請求項８又は９に記載の装置。
【発明の詳細な説明】
【技術分野】
【０００１】
本発明は、医療用途のために患者の尿生成に関するデータを測定する装置に関し、装置は、
−  患者の尿を収集するための収集装置と、
−  データを測定する手段と、
−  測定データを記憶するためのメモリ手段を備えるプロセッサとを、
備える。
【背景技術】
【０００２】
尿力学研究は、多くの泌尿器科学的な問題が、間違って排尿することによって引き起こされることを示した。排尿する正しい方法は、所謂排尿訓練によって教え得ることが実地に発見された。ここでは、排尿中に骨盤底筋を弛緩すること、並びに、膀胱を可能な限り完全に空にすることが強調される。可能な限りの若い年齢で間違った排尿の習慣を絶つことが重要であり、そのために、比較的多数の子供たちがそのような排尿訓練を受けている。
【０００３】
前文に述べられた種類の装置は、実際には既知であり、Ａｃａｄｅｍｉｓｃｈ  Ｚｉｅｋｅｎｈｕｉｓ  Ｕｔｒｅｃｈｔ（Ｕｔｒｅｃｈｔ  Ｔｅａｃｈｉｎｇ  Ｈｏｓｐｉｔａｌ）の技術サービス部門によって製造されている。既知の装置は、４つの脚から構成され且つその上に便座を有する便椅子と、便座の下に配置するための尿流量計と、ケーブルを用いて尿流量計に接続されたコンピュータとを含む。実際には、患者は、排尿訓練のために、暫くの間病院に入院する。患者が排出する尿は、この目的のために収集され、尿流量計に沿って案内される。尿流又は流れのような重要データは測定され、医療専門家による分析のためにコンピュータ上に記憶される。次に、この訓練は、既知の装置を用いて、患者によって家で継続されなければならない。
【０００４】
既知の装置は、家の状況に配置するのに不便であるという欠点を有する。殆どの家は、実際には、既知の装置を恒久的に設置するのに利用可能な部屋を有さない。これは、普通、既知の装置が使用の度に再度設置されなければならないことを意味し、それは子供による自主的な使用をより困難にする。加えて、既知の装置は変な外観を有し、このために、特に子供たちに自発的な排尿を奨励しない。
【発明の開示】
【発明が解決しようとする課題】
【０００５】
これらの欠点を除去する前文に記載された種類の装置を提供することが本発明の目的である。
【課題を解決するための手段】
【０００６】
この目的は、上記に記載された種類の装置によって達成され、本発明によれば、尿収集装置は、便器の上に取り付けるために配置される。本発明に従った装置は、普通のトイレの上での使用に適している。これによって、訓練は馴染みの環境において生理学的に行われることができ、それは、特に若い使用者のために、刺激効果を有する。その使用のためには、収集装置を既存の便器内に配置する単純な動作だけで十分であり、それによって、使用者の不便さが最小限に低減される。
【０００７】
本発明に従った装置の第一の実際的な好適実施態様において、尿収集装置は漏斗形状であり、便座内に取り付けるための手段を備える。
【０００８】
さらに上品な好適実施態様によれば、尿収集装置は、少なくとも部分的に二重壁形態を採り、液体ロックを備え、尿生成の結果としての空気排除量を測定するために、測定手段が配置される。これによって、比較的安価な技術的手段を使用して、信頼性のある測定を実行し得る。測定手段は、好ましくは、患者から流れる尿に関するデータを測定するための流量センサを含む。
【０００９】
コンパクトな実施態様において、測定手段はプロセッサ内に組み込まれる。
【００１０】
衛生学的な好適実施態様において、プロセッサは、収集装置上に解放可能に取り付けられ得る。本発明によれば、プロセッサは再使用が意図される。収集装置は、１回のみ使用、即ち、１人の患者による使用が意図された使い捨て物品である。さらなる利点は、今や測定データの分析のための処理医療専門家にプロセッサを持って行かなければならないだけの患者から構成される。その実際的な実施態様において、収集装置は、プロセッサを少なくとも部分的に収容するためのカバーを備える。
【００１１】
さらなる好適実施態様によれば、装置は、測定データを表示する目的のためにプロセッサに接続するためのインターフェースをさらに含む。使用者は、インターフェースを用いて、訓練中にフィードバックを受け取る。
【００１２】
さらに、さらなる好適実施態様によれば、プロセッサは、インターフェースへの測定データの無線送信のための送信器を備え、この送信器は、測定データを受信するための受信器を備える。無線通信は、使用の便宜を大いに増大する。
【００１３】
子供に優しい実施態様において、インターフェースは、ゲームボーイ（Ｒ）のようなゲームコンピュータを含む。ゲームコンピュータの携帯のインターフェースは、子供が動作するのに容易である。若い使用者は、ゲームコンピュータによって、本発明に従った装置を使用することを刺激されるであろう。加えて、その独自のレベルで子供に訴えることによって、訓練の有効性はかなり増大される。
【００１４】
図面を参照して、本発明を以下により詳細に解明する。
【発明を実施するための最良の形態】
【００１５】
図面中、対応する構成素子は同一の参照番号で指し示されている。
【００１６】
図１は、本発明の好適実施態様に従った装置１を示す概略図である。図２は展開された部分を備える装置１を示している。装置１は、嵌入し合う２つの部分２，３から構成されている。装置１は便器内に配置され得るような寸法にされている。部分３は、この目的のために、使用中に便器の縁部上に位置する２つの横方向支持体４，５を備えている。支持体は、ピンホール接続４Ａ，４Ｂ，５Ａ，５Ｂを用いて、異なる寸法の便器に適合するよう形成され得る。部分３は、使用中に便器の前部の周りに配置されるフック６を備える。フック６は柄としても働く。
【００１７】
部分２は概ね漏斗形状であり、出口開口７を備えている。部分３はより大きな容積を有し、出口開口７上に接続する直立縁部８Ａを備える閉塞ネック８を備えている。開口７と縁部８Ａとの間には、それらが協働して液体ロックを形成するよう、幾らかの隙間がある。ネックの長さを自由に選択し得ることが留意される。双方の部分２，３は、嵌入し合うリム９，１０をそれぞれ備える。キャップ２２で部分３を閉塞し得る。キャップは好ましくは自動閉塞する。
【００１８】
図３Ａ及び３Ｂは、装置１を２つの異なる視点からの断面で示している。この組立て位置において、容積１１が部分２及び３の間に定められている。リム９及び１０は、この容積１１を気密に封止している。
【００１９】
プロセッサ又は処理装置１４が、収集装置に結合され得る。プロセッサ１４は、例えば、部分２上に取り付けられ得る筐体を有する。図示の好適実施態様において、部分２は、この目的のために、プロセッサ１４の筐体を部分的に収容し得るカバー１８を備える。
【００２０】
プロセッサ１４は、関連する測定データの記憶装置のためのメモリ手段１３に接続された測定手段１２を含む。適切な測定手段は、例えば、流量センサ、例えば、Ｈｏｎｅｙｗｅｌｌによって市販されているＡＷＭ４３６００Ｖ型センサである。適切なメモリ手段は、フラッシュメモリカードのように取り外し可能である。
【００２１】
収集装置１及びプロセッサ１４の組立て位置におけるＯリングの使用を通じて、測定手段１２へのアクセスをもたらす開口２０の位置にあるプロセッサ１４の頂部の周りに、空気室が創成されている。反対側で、この空気室は容積１１と連絡している。
【００２２】
プロセッサ１４は、測定データをインターフェース１６に送信するための送信器１５を備え、このインターフェース１６は、測定データを受信するための受信器１７を備えている。
【００２３】
送信前に、測定データは、好ましくは、増幅され、必要であれば、Ａ／Ｄ変換が行われる。プロセッサ１４は、この目的のために、適切な増幅及び変換手段を含む。送信器１５及び受信器１７は、好ましくは、無線送信／受信に適している。この目的のための適切な周波数は、ほぼ４．３３又は８６８ＭＨｚである。ＢｌｕｅＴｏｏｔｈ又はＷｉＦｉ（無線フィディリティ）のような適切な商業的に入手可能なシステムも使用し得る。
【００２４】
インターフェース１６は、測定データを表示することが意図されている。適切なインターフェースは、プロセッサ又は処理装置及びスクリーンを含む。適切なインターフェースの一例は、ＰＤＡ（携帯情報端末）のようなハンドヘルドコンピュータ又はＧａｍｅｂｏｙ（Ｒ）のようなゲームコンピュータである。測定データの表示のために、インターフェースは、その目的に適したソフトウェアを備えなければならない。
【００２５】
プロセッサは、患者のＥＭＧ信号を測定するためのＥＭＧ電極用の少なくとも１つの接続２１を含む。ＥＭＧ信号は、骨盤底の活動及び使用者の腹圧活動の表示をもたらし、それらは、専門家による測定データの分析のための重要な追加的データである。
【００２６】
本発明によれば、アクセサリ並びにインターフェース１７を備えるプロセッサ１４は、再使用が意図されている。収集装置１は、１回のみの使用、即ち、１人の患者のみによる使用が意図される使い捨て物品である。
【００２７】
図示される好適実施態様において、本発明は以下の通り動作する。使用中、収集装置１内に収集される尿は、開口７を介して部分２から流出し、部分３内に流入する。液体ロック又は水ロックの動作の故に、尿はネック８の縁部８Ａを越えて容積１１に流入する。容積内に存在する空気は、開口２０を介して流量センサ１２を通過するよう流入する尿の結果として置換される。流量センサ１２は、尿流の１つの指標として空気排除量及び／又は空気流量を測定する。これらの測定データはメモリ１３に記憶される。それに基づき、生成される尿の量及び関連する尿流量のような尿生成に関する関連データが計算され得る。専門家による測定データの分析を許容するよう、メモリ１３を所望の時に読み取り得る。これは、例えば、泌尿科医のような処理医療専門家への訪問の一部を形成し得る。
【００２８】
使用後、キャップ２２を開放することによって、収集装置を空にし得る。
【００２９】
図４は、次に、測定データが、送信器１５を用いて、インターフェース１６の受信器１７に選択的に送信され得ることを例証しており、それらはインターフェースで使用者に示され得る。この実施態様は、子供の尿訓練に特に適している。何故ならば、直接的なフィードバックが排尿中に行われるからである。第二のインターフェース（図示せず）を用いて、訓練者は、所望であれば、使用者と同一のデータを受信し得る。この直接的なフィードバックは、訓練者に訓練を可能な限り最適化する選択肢を提供する。
【００３０】
おそらく不要に、本発明は、図示され且つ記載された実施態様に明示的に限定されず、前記の記載及び図面の観点から見られるとき、添付の請求項の範囲内に入る如何なる実施態様にも及ぶことが留意されよう。
【図面の簡単な説明】
【００３１】
【図１】本発明の好適実施態様を示す概略図である。
【図２】図１の装置を示す展開図である。
【図３Ａ】図１の装置を異なる視点から示す断面図である。
【図３Ｂ】図１の装置を異なる視点から示す断面図である。
【図４】本発明に従った装置の動作を示す概略図である。
【図１】
2008503752.tif 000003
【図２】
2008503752.tif 000004
【図３Ａ】
2008503752.tif 000005
【図３Ｂ】
2008503752.tif 000006
【図４】
2008503752.tif 000007
【手続補正書】
【提出日】平成18年4月24日(2006.4.24)
【手続補正１】
【補正対象書類名】特許請求の範囲
【補正対象項目名】全文
【補正方法】変更
【補正の内容】
【特許請求の範囲】
【請求項１】
医療用途のために患者の尿生成に関するデータを測定する装置であって、
便器の上に取り付けるために配置された、患者の尿を収集するための収集装置と、
データを測定するための手段と、
該測定されたデータを記憶するためのメモリ手段を備える処理装置とを含み、
該処理装置は、前記収集装置の上に解放可能に取り付けられ得ることを特徴とする、
装置。
【請求項２】
前記収集装置は、前記処理装置を少なくとも部分的に収容するためのカバーを備える、請求項１に記載の装置。
【請求項３】
前記測定手段は、患者からの尿流量に関するデータを測定するための流量センサを含む、請求項１又は２に記載の装置。
【請求項４】
前記流量センサは、前記処理装置内に組み込まれる、請求項３に記載の装置。
【請求項５】
前記測定データを表示するために前記処理装置に接続するためのインターフェースをさらに含む、上記請求項のうちいずれか１項に記載の装置。
【請求項６】
前記処理装置は、前記インターフェースへの前記測定データの無線送信のための送信器を備え、前記インターフェースは、前記測定データを受信するための受信器を備える、請求項５に記載の装置。
【請求項７】
前記インターフェースは、ＰＤＡ（携帯情報端末）のようなハンドヘルドコンピュータを含む、請求項５又は６に記載の装置。
【請求項８】
前記尿収集装置は、漏斗形状であり、前記便座内に取り付けられるための手段を備える、上記請求項のうちいずれか１項に記載の装置。
【請求項９】
前記尿収集装置は、少なくとも部分的に二重壁形態を採り、液体ロックを備え、前記測定手段は、尿生成の結果としての空気排除量を測定するよう配置される、上記請求項のうちいずれか１項に記載の装置。
【手続補正２】
【補正対象書類名】明細書
【補正対象項目名】全文
【補正方法】変更
【補正の内容】
【発明の詳細な説明】
【技術分野】
【０００１】
本発明は、医療用途のために患者の尿生成に関するデータを測定する装置に関し、装置は、
−  患者の尿を収集するための収集装置と、
−  データを測定する手段と、
−  測定データを記憶するためのメモリ手段を備えるプロセッサとを、
備える。
【背景技術】
【０００２】
尿力学研究は、多くの泌尿器科学的な問題が、間違って排尿することによって引き起こされることを示した。排尿する正しい方法は、所謂排尿訓練によって教え得ることが実地に発見された。ここでは、排尿中に骨盤底筋を弛緩すること、並びに、膀胱を可能な限り完全に空にすることが強調される。可能な限りの若い年齢で間違った排尿の習慣を絶つことが重要であり、そのために、比較的多数の子供たちがそのような排尿訓練を受けている。
【０００３】
前文に述べられた種類の装置は、実際には既知であり、Ａｃａｄｅｍｉｓｃｈ  Ｚｉｅｋｅｎｈｕｉｓ  Ｕｔｒｅｃｈｔ（Ｕｔｒｅｃｈｔ  Ｔｅａｃｈｉｎｇ  Ｈｏｓｐｉｔａｌ）の技術サービス部門によって製造されている。既知の装置は、４つの脚から構成され且つその上に便座を有する便椅子と、便座の下に配置するための尿流量計と、ケーブルを用いて尿流量計に接続されたコンピュータとを含む。実際には、患者は、排尿訓練のために、暫くの間病院に入院する。患者が排出する尿は、この目的のために収集され、尿流量計に沿って案内される。尿流又は流れのような重要データは測定され、医療専門家による分析のためにコンピュータ上に記憶される。次に、この訓練は、既知の装置を用いて、患者によって家で継続されなければならない。
【０００４】
既知の装置は、家の状況に配置するのに不便であるという欠点を有する。殆どの家は、実際には、既知の装置を恒久的に設置するのに利用可能な部屋を有さない。これは、普通、既知の装置が使用の度に再度設置されなければならないことを意味し、それは子供による自主的な使用をより困難にする。加えて、既知の装置は変な外観を有し、このために、特に子供たちに自発的な排尿を奨励しない。
【発明の開示】
【発明が解決しようとする課題】
【０００５】
これらの欠点を除去する前文に記載された種類の装置を提供することが本発明の目的である。
【課題を解決するための手段】
【０００６】
この目的は、上記に記載された種類の装置によって達成され、本発明によれば、尿収集装置は、便器の上に取り付けるために配置される。本発明に従った装置は、普通のトイレの上での使用に適している。これによって、訓練は馴染みの環境において生理学的に行われることができ、それは、特に若い使用者のために、刺激効果を有する。その使用のためには、収集装置を既存の便器内に配置する単純な動作だけで十分であり、それによって、使用者の不便さが最小限に低減される。
【０００７】
処理装置は、収集装置上に解放可能に取り付けられ得る。本発明によれば、プロセッサは再使用が意図される。収集装置は、１回のみ使用、即ち、１人の患者による使用が意図された使い捨て物品である。さらなる利点は、今や測定データの分析のための処理医療専門家にプロセッサを持って行かなければならないだけの患者から構成される。
【０００８】
便器上に取り付けるために配置される尿収集装置を備える前文中に記載されるような医療用途のために、患者の尿生成に関するデータを測定するための装置は、当該技術分野において既知であり、例えば、欧州公報第ＥＰ０３４２０２８号及び米国特許第４，５５４，６８７号に記載されている。
【０００９】
既知の尿収集装置は、使い捨て物品としての使用に適している。毎回使用前に、使い捨て収集装置は、処理装置に結合されなければならない。既知の装置が正しく機能するために、この結合は正しく遂行されなければならず、多くの患者にとっては家で自主的に達成するのが困難であり得る。一旦結合された後、既知の使い捨て収集装置を処理装置に取り付けられたままにすることによって、この結合を回避し得るが、この組立て状態において、既知の装置は幾分嵩張り、取扱いが困難である。
【００１０】
これらの欠点を除去する上記に述べられた種類の改良された装置を提供することが本発明の目的である。
【００１１】
従って、本発明に従った装置は、処理装置が収集装置の上に解放可能に取り付けられ得ることを特徴とする。処理装置を収集装置自体の上に取り付けることによって、本発明に従った装置はコンパクトであり、組立て状態において取扱いが容易である。
【００１２】
その実際的な実施態様において、収集装置は、処理装置を少なくとも部分的に収容するためのカバーを備える。カバーは、患者によって家で容易に遂行され得るような、処理装置のための極めて簡単な結合を可能にする。
【００１３】
測定手段は、好ましくは、患者からの尿量流に関するデータを測定するための流量センサを含む。
【００１４】
コンパクトな好適実施態様において、流量センサは処理装置内に組み込まれる。
【００１５】
さらなる好適実施態様によれば、装置は、測定データを表示する目的のために処理装置に接続するためのインターフェースをさらに含む。使用者は、インターフェースを用いて、訓練中にフィードバックを受け取る。
【００１６】
さらに、さらなる好適実施態様によれば、処理装置は、インターフェースへの測定データの無線送信のための送信器を備え、この送信器は、測定データを受信するための受信器を備える。無線通信は、使用の便宜を大いに増大する。
【００１７】
本発明に従った装置のさらなる実際的な好適実施態様において、尿収集装置は漏斗形状であり、便座内に取り付けるための手段を備える。
【００１８】
さらに上品な好適実施態様によれば、尿収集装置は、少なくとも部分的に二重壁形態を採り、液体ロックを備え、尿生成の結果としての空気排除量を測定するために、測定手段が配置される。これによって、比較的安価な技術的手段を使用して、信頼性のある測定を実行し得る。
【００１９】
図面を参照して、本発明を以下により詳細に解明する。
【発明を実施するための最良の形態】
【００２０】
図面中、対応する構成素子は同一の参照番号で指し示されている。
【００２１】
図１は、本発明の好適実施態様に従った装置１を示す概略図である。図２は展開された部分を備える装置１を示している。装置１は、嵌入し合う２つの部分２，３から構成されている。装置１は便器内に配置され得るような寸法にされている。部分３は、この目的のために、使用中に便器の縁部上に位置する２つの横方向支持体４，５を備えている。支持体は、ピンホール接続４Ａ，４Ｂ，５Ａ，５Ｂを用いて、異なる寸法の便器に適合するよう形成され得る。部分３は、使用中に便器の前部の周りに配置されるフック６を備える。フック６は柄としても働く。
【００２２】
部分２は概ね漏斗形状であり、出口開口７を備えている。部分３はより大きな容積を有し、出口開口７上に接続する直立縁部８Ａを備える閉塞ネック８を備えている。開口７と縁部８Ａとの間には、それらが協働して液体ロックを形成するよう、幾らかの隙間がある。ネックの長さを自由に選択し得ることが留意される。双方の部分２，３は、嵌入し合うリム９，１０をそれぞれ備える。キャップ２２で部分３を閉塞し得る。キャップは好ましくは自動閉塞する。
【００２３】
図３Ａ及び３Ｂは、装置１を２つの異なる視点からの断面で示している。この組立て位置において、容積１１が部分２及び３の間に定められている。リム９及び１０は、この容積１１を気密に封止している。
【００２４】
プロセッサ又は処理装置１４が、収集装置に結合され得る。プロセッサ１４は、例えば、部分２上に取り付けられ得る筐体を有する。図示の好適実施態様において、部分２は、この目的のために、プロセッサ１４の筐体を部分的に収容し得るカバー１８を備える。
【００２５】
プロセッサ１４は、関連する測定データの記憶装置のためのメモリ手段１３に接続された測定手段１２を含む。適切な測定手段は、例えば、流量センサ、例えば、Ｈｏｎｅｙｗｅｌｌによって市販されているＡＷＭ４３６００Ｖ型センサである。適切なメモリ手段は、フラッシュメモリカードのように取り外し可能である。
【００２６】
収集装置１及びプロセッサ１４の組立て位置におけるＯリングの使用を通じて、測定手段１２へのアクセスをもたらす開口２０の位置にあるプロセッサ１４の頂部の周りに、空気室が創成されている。反対側で、この空気室は容積１１と連絡している。
【００２７】
プロセッサ１４は、測定データをインターフェース１６に送信するための送信器１５を備え、このインターフェース１６は、測定データを受信するための受信器１７を備えている。
【００２８】
送信前に、測定データは、好ましくは、増幅され、必要であれば、Ａ／Ｄ変換が行われる。プロセッサ１４は、この目的のために、適切な増幅及び変換手段を含む。送信器１５及び受信器１７は、好ましくは、無線送信／受信に適している。この目的のための適切な周波数は、ほぼ４．３３又は８６８ＭＨｚである。ＢｌｕｅＴｏｏｔｈ又はＷｉＦｉ（無線フィディリティ）のような適切な商業的に入手可能なシステムも使用し得る。
【００２９】
インターフェース１６は、測定データを表示することが意図されている。適切なインターフェースは、プロセッサ又は処理装置及びスクリーンを含む。適切なインターフェースの一例は、ＰＤＡ（携帯情報端末）のようなハンドヘルドコンピュータ又はＧａｍｅｂｏｙ（Ｒ）のようなゲームコンピュータである。測定データの表示のために、インターフェースは、その目的に適したソフトウェアを備えなければならない。
【００３０】
プロセッサは、患者のＥＭＧ信号を測定するためのＥＭＧ電極用の少なくとも１つの接続２１を含む。ＥＭＧ信号は、骨盤底の活動及び使用者の腹圧活動の表示をもたらし、それらは、専門家による測定データの分析のための重要な追加的データである。
【００３１】
本発明によれば、アクセサリ並びにインターフェース１７を備えるプロセッサ１４は、再使用が意図されている。収集装置１は、１回のみの使用、即ち、１人の患者のみによる使用が意図される使い捨て物品である。
【００３２】
図示される好適実施態様において、本発明は以下の通り動作する。使用中、収集装置１内に収集される尿は、開口７を介して部分２から流出し、部分３内に流入する。液体ロック又は水ロックの動作の故に、尿はネック８の縁部８Ａを越えて容積１１に流入する。容積内に存在する空気は、開口２０を介して流量センサ１２を通過するよう流入する尿の結果として置換される。流量センサ１２は、尿流の１つの指標として空気排除量及び／又は空気流量を測定する。これらの測定データはメモリ１３に記憶される。それに基づき、生成される尿の量及び関連する尿流量のような尿生成に関する関連データが計算され得る。専門家による測定データの分析を許容するよう、メモリ１３を所望の時に読み取り得る。これは、例えば、泌尿科医のような処理医療専門家への訪問の一部を形成し得る。
【００３３】
使用後、キャップ２２を開放することによって、収集装置を空にし得る。
【００３４】
図４は、次に、測定データが、送信器１５を用いて、インターフェース１６の受信器１７に選択的に送信され得ることを例証しており、それらはインターフェースで使用者に示され得る。この実施態様は、子供の尿訓練に特に適している。何故ならば、直接的なフィードバックが排尿中に行われるからである。第二のインターフェース（図示せず）を用いて、訓練者は、所望であれば、使用者と同一のデータを受信し得る。この直接的なフィードバックは、訓練者に訓練を可能な限り最適化する選択肢を提供する。
【００３５】
おそらく不要に、本発明は、図示され且つ記載された実施態様に明示的に限定されず、前記の記載及び図面の観点から見られるとき、添付の請求項の範囲内に入る如何なる実施態様にも及ぶことが留意されよう。
【図面の簡単な説明】
【００３６】
【図１】本発明の好適実施態様を示す概略図である。
【図２】図１の装置を示す展開図である。
【図３Ａ】図１の装置を異なる視点から示す断面図である。
【図３Ｂ】図１の装置を異なる視点から示す断面図である。
【図４】本発明に従った装置の動作を示す概略図である。
【国際調査報告】
2008503752.tif 000008
2008503752.tif 000009
2008503752.tif 000010